(57)【要約】      （修正有）【課題】生体組織、特に脂肪組織の光散乱を抑制することができる生体透明化剤の提供。【解決手段】一般式（Ａ−１）で表される化合物、一般式（Ｂ−１）で表される化合物、一般式（Ｃ−１）で表される化合物、及び二糖類からなる群より選択される１種以上の化合物を有効成分とする生体透明化剤。［化１］2015049101.tif 000024【選択図】なし【特許請求の範囲】
【請求項１】
下記一般式（Ａ−１）
【化１】
2015049101.tif 000019
［式（Ａ−１）中、Ｚ１は単結合又は炭素数１〜６のアルキレン基を表し、Ａ１及びＡ２は、それぞれ独立して、水素原子、−ＮＨＲ１（Ｒ１は、水素原子又は炭素数１〜６のアルキル基を表す。）、−ＮＲ２−ＣＯ−Ｒ３（Ｒ２は、水素原子又は炭素数１〜６のアルキル基を表し、Ｒ３は、炭素数１〜６のアルキル基を表す。）、又は下記式（Ａ'−１）
【化２】
2015049101.tif 000020
〔式（Ａ'−１）中、Ｒ４及びＲ５は、それぞれ独立して、水素原子又は炭素数１〜６のアルキル基を表し、Ｚ２は単結合又は炭素数１〜６のアルキレン基を表し、Ａ'１は、水素原子、−ＮＨＲ６（Ｒ６は、水素原子又は炭素数１〜６のアルキル基を表す。）、又は−ＮＲ７−ＣＯ−Ｒ８（Ｒ７は、水素原子又は炭素数１〜６のアルキル基を表し、Ｒ８は、炭素数１〜６のアルキル基を表す。）を表し、Ｚ３は単結合又は炭素数１〜６のアルキレン基を表す。また、アスタリスクが式（Ａ−１）中のベンゼン環との結合箇所を示す。〕を表す。ただし、Ａ１及びＡ２がいずれも水素原子である場合を除く。］で表される化合物、
下記一般式（Ｂ−１）
【化３】
2015049101.tif 000021
［式（Ｂ−１）中、Ｂ０は下記式（Ｂ０−１）、（Ｂ０−２）又は（Ｂ０−３）
【化４】
2015049101.tif 000022
〔式（Ｂ０−１）〜（Ｂ０−３）中、アスタリスクがＢ１との結合箇所を示す。〕を表し、Ｂ１は、−ＣＯ−ＮＨＲ９（Ｒ９は、水素原子又は炭素数１〜６のアルキル基を表す。）、−Ｚ４−ＯＨ（Ｚ４は炭素数１〜６のアルキレン基を表す。）、又は−Ｚ５−ＣＯＯＨ（Ｚ５は、１個の水素原子がアミノ基で置換されていてもよい炭素数１〜６のアルキレン基を表す。）を表す。］で表される化合物、
下記一般式（Ｃ−１）
【化５】
2015049101.tif 000023
［式（Ｃ−１）中、Ｃ１は、−Ｚ６−ＯＨ（Ｚ６は、単結合又は炭素数１〜６のアルキレン基を表す。）、−Ｚ７−ＣＯＯＨ（Ｚ７は、１個の水素原子がアミノ基で置換されていてもよい炭素数１〜６のアルキレン基を表す。）、又は−ＣＯ−ＮＨＲ１０（Ｒ１０は、水素原子又は炭素数１〜６のアルキル基を表す。）を表す。］で表される化合物、及び、
二糖類からなる群より選択される１種以上の化合物を有効成分とすることを特徴とする、生体透明化剤。
【請求項２】
ジアトリゾ酸、メトリゾ酸、フェニルウレア、スクロース、トレハロース、フェニルエタノールアミン、トリプトファン、ヒドロキノン、レゾルシノール、ピリジンエタノール、イオパノ酸、及びヨージパミドからなる群より選択される１種以上の化合物を有効成分とする、請求項１に記載の生体透明化剤。
【請求項３】
ジアトリゾ酸、メトリゾ酸、フェニルウレア、フェニルエタノールアミン、イオパノ酸、及びヨージパミドからなる群より選択される１種以上の化合物を有効成分とする、請求項１に記載の生体透明化剤。
【請求項４】
生体組織に浸潤させることにより、当該生体組織を透明化することができる、請求項１〜３のいずれか一項に記載の生体透明化剤。
【請求項５】
脂肪組織の透明化に使用される、請求項１〜４のいずれか一項に記載の生体透明化剤。
【発明の詳細な説明】
【技術分野】
【０００１】
本発明は、生体組織、特に脂肪組織を透明化することができる生体透明化剤に関する。
【背景技術】
【０００２】
生体組織は光散乱体であり、生体組織中では光は直進せず、拡散してしまう。このため、顕微鏡観察では、生体組織の表層部分しか観察できず、深部の情報を得ることは困難である。そこで、生体深部の観察を可能にするために、生体の光散乱を抑制し、光透過性を向上させる、いわゆる生体透明化試薬（Ｏｐｔｉｃａｌ  Ｃｌｅａｒｉｎｇ  Ａｇｅｎｔ）の開発が盛んである。例えば、ラットの皮膚を透明化する透明化試薬として、７５％グリセロールと２０〜４０％グルコースを含む水溶液（非特許文献１参照。）、２０〜７５％グリセロール水溶液（非特許文献２参照。）、９０％ＰＥＧ４００（非特許文献３参照。）等が報告されている。
【０００３】
一方で、血管や臓器等の多くは、脂肪組織によって被覆されている。このため、外科手術において、手術箇所が表層部分ではない場合には、手術箇所を覆っている脂肪等の他の組織を予め除去する必要がある。このような処置を行なう際に、除去対象である脂肪の下に存在する血管や臓器等を誤って傷つけてしまう恐れがある。特に太い動脈血管を傷つけてしまうと、患者の負担の増大、術者が行なわなければならない処置の増加等、悪影響が大きい。脂肪組織に覆われた血管や臓器等を視認できればこのような事故を効果的に防止することができるが、脂肪による強い光散乱のため、脂肪越しの血管等の視認性向上は困難である。
【先行技術文献】
【非特許文献】
【０００４】
【非特許文献１】ガランザ（Galanzha）、他６名、ジャーナル・オブ・フィジックス・ディー：アプライド・フィジックス（Journal of Physics D：Applied Physics）、２００３年、第３６巻、第１７３９〜１７４７ページ。
【非特許文献２】ウェン（Wen）、他４名、ジャーナル・オブ・バイオフォトニクス（Journal of biophotonics）、２０１０年、第３巻、第４４〜５２ページ。
【非特許文献３】ワン（Wang）、他６名、プロシーディングス・オブ・エス・ピー・アイ・イー（Proceedings of SPIE）、２００９年、第７１７６巻、第７１７６０Ｑ−１〜８ページ。
【発明の概要】
【発明が解決しようとする課題】
【０００５】
透明化試薬による光散乱の抑制の程度は、対象とする部位と試薬の組み合わせに大きく依存することが知られている。皮膚を対象とした透明化試薬の研究は幅広く行われているものの、現在までにおいて、脂肪を対象とした研究はあまり行われていない。
【０００６】
脂肪組織の光散乱を、効果的かつ速やかに抑制することができれば、脂肪越しの血管等の視認性を飛躍的に向上させることができる。
そこで、本発明は、生体組織、特に脂肪組織の光散乱を抑制することができる生体透明化剤を提供することを目的とする。
【課題を解決するための手段】
【０００７】
本発明者らは、上記課題を解決すべく鋭意研究した結果、特定の構造を有する化合物が、脂肪組織の光散乱を、効果的かつ速やかに抑制することができることを見出し、本発明を完成させた。
【０００８】
すなわち、本発明に係る生体透明化剤は、下記［１］〜［５］である。
［１］  下記一般式（Ａ−１）
【０００９】
【化１】
2015049101.tif 000002
【００１０】
［式（Ａ−１）中、Ｚ１は単結合又は炭素数１〜６のアルキレン基を表し、Ａ１及びＡ２は、それぞれ独立して、水素原子、−ＮＨＲ１（Ｒ１は、水素原子又は炭素数１〜６のアルキル基を表す。）、−ＮＲ２−ＣＯ−Ｒ３（Ｒ２は、水素原子又は炭素数１〜６のアルキル基を表し、Ｒ３は、炭素数１〜６のアルキル基を表す。）、又は下記式（Ａ'−１）
【００１１】
【化２】
2015049101.tif 000003
【００１２】
〔式（Ａ'−１）中、Ｒ４及びＲ５は、それぞれ独立して、水素原子又は炭素数１〜６のアルキル基を表し、Ｚ２は単結合又は炭素数１〜６のアルキレン基を表し、Ａ'１は、水素原子、−ＮＨＲ６（Ｒ６は、水素原子又は炭素数１〜６のアルキル基を表す。）、又は−ＮＲ７−ＣＯ−Ｒ８（Ｒ７は、水素原子又は炭素数１〜６のアルキル基を表し、Ｒ８は、炭素数１〜６のアルキル基を表す。）を表し、Ｚ３は単結合又は炭素数１〜６のアルキレン基を表す。また、アスタリスクが式（Ａ−１）中のベンゼン環との結合箇所を示す。〕を表す。ただし、Ａ１及びＡ２がいずれも水素原子である場合を除く。］で表される化合物、
下記一般式（Ｂ−１）
【００１３】
【化３】
2015049101.tif 000004
【００１４】
［式（Ｂ−１）中、Ｂ０は下記式（Ｂ０−１）、（Ｂ０−２）又は（Ｂ０−３）
【００１５】
【化４】
2015049101.tif 000005
【００１６】
〔式（Ｂ０−１）〜（Ｂ０−３）中、アスタリスクがＢ１との結合箇所を示す。〕を表し、Ｂ１は、−ＣＯ−ＮＨＲ９（Ｒ９は、水素原子又は炭素数１〜６のアルキル基を表す。）、−Ｚ４−ＯＨ（Ｚ４は炭素数１〜６のアルキレン基を表す。）、又は−Ｚ５−ＣＯＯＨ（Ｚ５は、１個の水素原子がアミノ基で置換されていてもよい炭素数１〜６のアルキレン基を表す。）を表す。］で表される化合物、
下記一般式（Ｃ−１）
【００１７】
【化５】
2015049101.tif 000006
【００１８】
［式（Ｃ−１）中、Ｃ１は、−Ｚ６−ＯＨ（Ｚ６は、単結合又は炭素数１〜６のアルキレン基を表す。）、−Ｚ７−ＣＯＯＨ（Ｚ７は、１個の水素原子がアミノ基で置換されていてもよい炭素数１〜６のアルキレン基を表す。）、又は−ＣＯ−ＮＨＲ１０（Ｒ１０は、水素原子又は炭素数１〜６のアルキル基を表す。）を表す。］で表される化合物、及び、
二糖類からなる群より選択される１種以上の化合物を有効成分とすることを特徴とする、生体透明化剤。
［２］  ジアトリゾ酸、メトリゾ酸、フェニルウレア、スクロース、トレハロース、フェニルエタノールアミン、トリプトファン、ヒドロキノン、レゾルシノール、ピリジンエタノール、イオパノ酸、及びヨージパミドからなる群より選択される１種以上の化合物を有効成分とする、前記［１］の生体透明化剤。
［３］  ジアトリゾ酸、メトリゾ酸、フェニルウレア、フェニルエタノールアミン、イオパノ酸、及びヨージパミドからなる群より選択される１種以上の化合物を有効成分とする、前記［１］の生体透明化剤。
［４］  生体組織に浸潤させることにより、当該生体組織を透明化することができる、前記［１］〜［３］のいずれかの生体透明化剤。
［５］  脂肪組織の透明化に使用される、前記［１］〜［４］のいずれかの生体透明化剤。
【発明の効果】
【００１９】
本発明に係る生体透明化剤により、生体組織、特に脂肪組織の光散乱を抑制し、従来になく短時間で透明化することができる。
【図面の簡単な説明】
【００２０】
【図１】実施例１において、各溶液に１時間又は３日間浸漬させた後の脂肪組織の相対透過光量を調べた結果を示した図である。
【図２】実施例１において、実施例において示した各種溶液等により処理することで透明化を実現した脂肪組織（図中、「透明化処理あり」）と、ＰＢＳで処理した脂肪組織（図中、「コントロール」）を、文字入りスライドガラス上に乗せ、裏側から照明して撮影した写真である。
【図３】実施例２において、各溶液に１時間浸漬させた脂肪組織の散乱係数の減少率を求めた結果を示した図である。
【図４】実施例３において、各溶液に１時間浸漬させた後の脂肪組織の相対透過光量を調べた結果を示した図である。
【発明を実施するための形態】
【００２１】
本発明及び本願明細書において、「透明化」とは、少なくとも一部の波長の光による光透過性を高めること、又は、少なくとも一部の波長の光による散乱特性を低下させることを意味する。
【００２２】
本発明に係る生体透明化剤は、特定の構造を有する化合物であって、生体組織に浸潤させることにより、当該生体組織を透明化することができる。本発明に係る生体透明化剤は、生体組織のうち、特に脂肪組織の透明化に適している。
【００２３】
本発明及び本願明細書において、「脂肪組織」とは、脂肪細胞を主たる構成細胞とする疎水性の組織を意味する。本発明に係る生体透明化剤が透明化する脂肪組織としては、構成細胞として脂肪細胞のみからなる組織であってもよく、脂肪細胞以外の細胞を含む組織であってもよい。また、脂肪組織が含む脂肪細胞は、白色脂肪細胞であってもよく、褐色脂肪細胞であってもよく、両者を含む組織であってもよい。脂肪細胞中の脂肪滴中に含まれている脂肪は、主に、トリグリセリド、コレステロールエステル、レチニルエステル等の中性脂肪であるが、脂肪酸等のその他の脂質を含んでいてもよい。
【００２４】
本発明に係る生体透明化剤は、具体的には、下記の一般式（Ａ−１）で表される化合物、一般式（Ｂ−１）で表される化合物、一般式（Ｃ−１）で表される化合物、及び二糖類からなる群より選択される１種以上の化合物を有効成分とする。本発明に係る生体透明化剤としては、これらの化合物を１種類のみを有効成分とするものであってもよく、２種類以上を組み合わせて有効成分とするものであってもよい。
【００２５】
＜一般式（Ａ−１）で表される化合物＞
一般式（Ａ−１）で表される化合物は、下記に示す通り、ベンゼン環の６個の水素原子のうち、３個がヨウ素原子に置換されており、１個がカルボキシル基又はアルキルカルボキシル基に置換されており、残る２個の水素原子のうちの少なくとも１個が、水素原子が置換されていてもよいアミノ基に置換されている化合物である。
【００２６】
【化６】
2015049101.tif 000007
【００２７】
式（Ａ−１）中、Ｚ１は単結合又は炭素数１〜６のアルキレン基を表す。当該アルキレン基としては、直鎖状のアルキレン基であってもよく、分岐鎖状のアルキレン基であってもよい。当該アルキレン基としては、具体的には、メチレン基、エチレン基、メチルメチレン基、エチルメチレン基、ジメチルメチレン基、エチルメチルメチレン基、イソプロピルメチレン基、トリメチレン基、プロピレン基、１−メチルトリメチレン基、２−メチルトリメチレン基、テトラメチレン基、１，１−ジメチルエチレン基、１，２−ジメチルエチレン基、１−エチルエチレン基、２−エチルエチレン基、ペンタメチレン基、１，１−ジメチルトリメチレン基、１，２−ジメチルトリメチレン基、１−エチルトリメチレン基、２−エチルトリメチレン基、ヘキサメチレン基、１，２−ジメチルテトラメチレン基、１−エチルテトラメチレン基、２−エチルテトラメチレン基等が挙げられる。式（Ａ−１）中のＺ１としては、単結合又は炭素数１〜４のアルキレン基が好ましく、単結合、メチレン基、エチレン基、メチルメチレン基、エチルメチレン基、ジメチルメチレン基、エチルメチルメチレン基、イソプロピルメチレン基、プロピレン基、１，１−ジメチルエチレン基、１，２−ジメチルエチレン基、１−エチルエチレン基、又は２−エチルエチレン基がより好ましい。
【００２８】
式（Ａ−１）中、Ａ１及びＡ２は、それぞれ独立して、水素原子、−ＮＨＲ１、−ＮＲ２−ＣＯ−Ｒ３、又は下記式（Ａ'−１）（式（Ａ'−１）中、アスタリスクが式（Ａ−１）中のベンゼン環との結合箇所を示す。）を表す。ただし、Ａ１及びＡ２がいずれも水素原子である場合を除く。
【００２９】
【化７】
2015049101.tif 000008
【００３０】
Ｒ１は、水素原子、又は炭素数１〜６のアルキル基を表す。当該アルキル基としては、直鎖状のアルキル基であってもよく、分岐鎖状のアルキル基であってもよい。当該アルキル基としては、具体的には、メチル基、エチル基、プロピル基、イソプロピル基、ブチル基、イソブチル基、ｓｅｃ−ブチル基、ｔｅｒｔ−ブチル基、ペンチル基、イソペンチル基、ネオペンチル基、ｔｅｒｔ−ペンチル基、ヘキシル基等が挙げられる。Ａ１又はＡ２が−ＮＨＲ１の場合、当該Ｒ１としては、水素原子又は炭素数１〜３のアルキル基が好ましく、水素原子がより好ましい。
【００３１】
Ｒ２は、水素原子又は炭素数１〜６のアルキル基を表す。当該アルキル基としては、Ｒ１で挙げられたアルキル基と同様のものが挙げられる。Ａ１又はＡ２が−ＮＲ２−ＣＯ−Ｒ３の場合、当該Ｒ２としては、水素原子又は炭素数１〜３のアルキル基が好ましく、水素原子又はメチル基がより好ましい。
【００３２】
Ｒ３は、炭素数１〜６のアルキル基を表す。当該アルキル基としては、Ｒ１で挙げられたアルキル基と同様のものが挙げられる。Ａ１又はＡ２が−ＮＲ２−ＣＯ−Ｒ３の場合、当該Ｒ３としては、炭素数１〜３のアルキル基が好ましく、メチル基がより好ましい。
【００３３】
式（Ａ'−１）中、Ｒ４及びＲ５は、それぞれ独立して、水素原子又は炭素数１〜６のアルキル基を表す。当該アルキル基としては、Ｒ１で挙げられたアルキル基と同様のものが挙げられる。Ａ１又はＡ２が式（Ａ'−１）で表される基である場合、当該Ｒ３としては、水素原子又は炭素数１〜３のアルキル基が好ましく、水素原子又はメチル基がより好ましく、水素原子がさらに好ましい。
【００３４】
式（Ａ'−１）中、Ｚ２は単結合又は炭素数１〜６のアルキレン基を表す。当該アルキレン基としては、Ｚ１で挙げられたアルキレン基と同様のものが挙げられる。Ａ１又はＡ２が式（Ａ'−１）で表される基である場合、当該Ｚ２としては、炭素数３〜６のアルキレン基が好ましく、トリメチレン基、テトラメチレン基、ペンタメチレン基、又はヘキサメチレン基がより好ましく、テトラメチレン基がさらに好ましい。
【００３５】
式（Ａ'−１）中、Ａ'１は、水素原子、−ＮＨＲ６（Ｒ６は、水素原子又は炭素数１〜６のアルキル基を表す。）、又は−ＮＲ７−ＣＯ−Ｒ８（Ｒ７は、水素原子又は炭素数１〜６のアルキル基を表し、Ｒ８は、炭素数１〜６のアルキル基を表す。）を表す。
Ｒ６としては、前記Ｒ１と同様のものが挙げられ、水素原子又は炭素数１〜３のアルキル基が好ましく、水素原子がより好ましい。
Ｒ７としては、前記Ｒ２と同様のものが挙げられ、水素原子又は炭素数１〜３のアルキル基が好ましく、水素原子又はメチル基がより好ましい。
Ｒ８としては、前記Ｒ３と同様のものが挙げられ、炭素数１〜３のアルキル基が好ましく、メチル基がより好ましい。
【００３６】
式（Ａ'−１）中、Ｚ３は、単結合又は炭素数１〜６のアルキレン基を表す。当該アルキレン基としては、Ｚ１で挙げられたアルキレン基と同様のものが挙げられる。Ａ１又はＡ２が式（Ａ'−１）で表される基である場合、当該Ｚ３としては、単結合又は炭素数１〜４のアルキレン基が好ましく、単結合、メチレン基、エチレン基、メチルメチレン基、エチルメチレン基、ジメチルメチレン基、エチルメチルメチレン基、イソプロピルメチレン基、プロピレン基、１，１−ジメチルエチレン基、１，２−ジメチルエチレン基、１−エチルエチレン基、又は２−エチルエチレン基がより好ましく、単結合がさらに好ましい。
【００３７】
一般式（Ａ−１）で表される化合物としては、下記一般式（Ａ−２）〜（Ａ−１３）のいずれかで表される化合物が好ましい。
【００３８】
【化８】
2015049101.tif 000009
【００３９】
一般式（Ａ−２）〜（Ａ−７）中、Ｒ３１及びＲ３２は、それぞれ独立して、炭素数１〜３のアルキル基を表し、メチル基が好ましい。また、Ｒ２１及びＲ２２は、それぞれ独立して、炭素数１〜３のアルキル基を表し、メチル基が好ましい。一般式（Ａ−５）〜（Ａ−７）中、Ｚ１１は、炭素数１〜４のアルキレン基を表し、メチレン基、エチレン基、メチルメチレン基、エチルメチレン基、ジメチルメチレン基、エチルメチルメチレン基、イソプロピルメチレン基、プロピレン基、１，１−ジメチルエチレン基、１，２−ジメチルエチレン基、１−エチルエチレン基、又は２−エチルエチレン基が好ましい。
【００４０】
【化９】
2015049101.tif 000010
【００４１】
一般式（Ａ−８）及び（Ａ−９）中、Ｚ１２は、単結合又は炭素数１〜４のアルキレン基を表し、単結合、メチレン基、エチレン基、メチルメチレン基、エチルメチレン基、ジメチルメチレン基、エチルメチルメチレン基、イソプロピルメチレン基、プロピレン基、１，１−ジメチルエチレン基、１，２−ジメチルエチレン基、１−エチルエチレン基、又は２−エチルエチレン基が好ましい。また、一般式（Ａ−９）中、Ｒ１１は、炭素数１〜３のアルキル基を表し、メチル基が好ましい。
【００４２】
【化１０】
2015049101.tif 000011
【００４３】
一般式（Ａ−１０）〜（Ａ−１３）中、ｎは１〜６の整数を表し、３〜６の整数が好ましく、４がより好ましい。一般式（Ａ−１０）及び（Ａ−１２）中、Ｚ１１は、炭素数１〜４のアルキレン基を表し、メチレン基、エチレン基、メチルメチレン基、エチルメチレン基、ジメチルメチレン基、エチルメチルメチレン基、イソプロピルメチレン基、プロピレン基、１，１−ジメチルエチレン基、１，２−ジメチルエチレン基、１−エチルエチレン基、又は２−エチルエチレン基が好ましい。一般式（Ａ−１２）及び（Ａ−１３）中、Ｒ２３及びＲ２４は、それぞれ独立して、炭素数１〜３のアルキル基を表し、メチル基が好ましい。
【００４４】
一般式（Ａ−１）で表される化合物としては、中でも、ジアトリゾ酸（ＣＡＳ登録番号：１１７−９６−４）、メトリゾ酸（ＣＡＳ登録番号：１９４９−４５−７）、イオパノ酸（ＣＡＳ登録番号：９６−８３−３）、又はヨージパミド（ＣＡＳ登録番号：６０６−１７−７）が好ましく、ジアトリゾ酸又はメトリゾ酸が特に好ましい。
【００４５】
＜一般式（Ｂ−１）で表される化合物＞
一般式（Ｂ−１）で表される化合物は、下記に示す通り、アニリン又は窒素原子を含むヘテロ環が、アミノカルボニル基、ヒドロキシアルキル基、又はカルボキシアルキル基で置換された化合物である。
【００４６】
【化１１】
2015049101.tif 000012
【００４７】
一般式（Ｂ−１）中、Ｂ０は、下記式（Ｂ０−１）、（Ｂ０−２）又は（Ｂ０−３）を表す。式（Ｂ０−１）〜（Ｂ０−３）中、アスタリスクがＢ１との結合箇所を示す。
【００４８】
【化１２】
2015049101.tif 000013
【００４９】
一般式（Ｂ−１）中、Ｂ１は、−ＣＯ−ＮＨＲ９、−Ｚ４−ＯＨ、又は−Ｚ５−ＣＯＯＨを表す。
【００５０】
Ｒ９は、水素原子又は炭素数１〜６のアルキル基を表す。当該アルキル基としては、Ｒ１で挙げられたアルキル基と同様のものが挙げられる。Ｂ１が−ＣＯ−ＮＨＲ９の場合、当該Ｒ９としては、水素原子又は炭素数１〜３のアルキル基が好ましく、水素原子又はメチル基がより好ましく、水素原子が特に好ましい。
【００５１】
Ｚ４は、炭素数１〜６のアルキレン基を表す。当該アルキレン基としては、Ｚ１で挙げられたアルキレン基と同様のものが挙げられる。Ｂ１が−Ｚ４−ＯＨである場合、当該Ｚ４としては、炭素数１〜３のアルキレン基が好ましく、メチレン基、エチレン基、メチルメチレン基、エチルメチレン基、ジメチルメチレン基、トリメチレン基、又はプロピレン基がより好ましく、メチレン基、エチレン基、又はトリメチレン基がさらに好ましい。
【００５２】
Ｚ５は、１個の水素原子がアミノ基で置換されていてもよい炭素数１〜６のアルキレン基を表す。当該アルキレン基としては、Ｚ１で挙げられたアルキレン基と同様のもの、及びこれらの基の１個の水素原子がアミノ基で置換された基が挙げられる。Ｂ１が−Ｚ５−ＣＯＯＨである場合、当該Ｚ５としては、１個の水素原子がアミノ基で置換されていてもよい炭素数１〜３のアルキレン基が好ましく、メチレン基、エチレン基、メチルメチレン基、エチルメチレン基、ジメチルメチレン基、トリメチレン基、プロピレン基、アミノメチレン基、１−アミノエチレン基、２−アミノエチレン基、１−アミノトリメチレン基、２−アミノトリメチレン基、又は３−アミノトリメチレン基がより好ましく、１−アミノエチレン基又は２−アミノエチレン基がさらに好ましい。
【００５３】
一般式（Ｂ−１）で表される化合物としては、下記一般式（Ｂ−２）〜（Ｂ−１０）のいずれかで表される化合物が好ましい。
【００５４】
【化１３】
2015049101.tif 000014
【００５５】
一般式（Ｂ−２）〜（Ｂ−４）中、Ｚ４１は、炭素数１〜３のアルキレン基を表し、メチレン基、エチレン基、又はトリメチレン基が好ましく、エチレン基が特に好ましい。
一般式（Ｂ−５）〜（Ｂ−７）中、Ｚ５１は、メチレン基又はエチレン基を表し、メチレン基が特に好ましい。
一般式（Ｂ−８）〜（Ｂ−１０）中、Ｒ９１は、水素原子又は炭素数１〜３のアルキル基を表し、水素原子又はメチル基が好ましく、水素原子が特に好ましい。
【００５６】
一般式（Ｂ−１）で表される化合物としては、中でも、フェニルウレア（ＣＡＳ登録番号：６４−１０−８）、フェニルエタノールアミン（２−アニリノエタノール）（ＣＡＳ登録番号：１２２−９８−５）、トリプトファン（ＣＡＳ登録番号：７３−２２−３）、又はピリジンエタノール（ＣＡＳ登録番号：１０３−７４−２）が好ましく、フェニルウレア又はフェニルエタノールアミンがより好ましい。
【００５７】
＜一般式（Ｃ−１）で表される化合物＞
一般式（Ｃ−１）で表される化合物は、下記に示す通り、ベンゼン環の２個の水素原子が、アミノカルボニル基、ヒドロキシアルキル基、又はカルボキシアルキル基で置換された化合物である。
【００５８】
【化１４】
2015049101.tif 000015
【００５９】
一般式（Ｃ−１）中、Ｃ１は、−Ｚ６−ＯＨ、−Ｚ７−ＣＯＯＨ、又は−ＣＯ−ＮＨＲ１０を表す。
【００６０】
Ｚ６は、単結合又は炭素数１〜６のアルキレン基を表す。当該アルキレン基としては、Ｚ１で挙げられたアルキレン基と同様のものが挙げられる。Ｃ１が−Ｚ６−ＯＨである場合、当該Ｚ６としては、単結合又は炭素数１〜３のアルキレン基が好ましく、単結合、メチレン基、エチレン基、メチルメチレン基、エチルメチレン基、ジメチルメチレン基、トリメチレン基、又はプロピレン基がより好ましく、単結合、メチレン基、エチレン基、又はトリメチレン基がさらに好ましく、単結合が特に好ましい。
【００６１】
Ｚ７は、１個の水素原子がアミノ基で置換されていてもよい炭素数１〜６のアルキレン基を表す。当該アルキレン基としては、Ｚ１で挙げられたアルキレン基と同様のもの、及びこれらの基の１個の水素原子がアミノ基で置換された基が挙げられる。Ｃ１が−Ｚ７−ＣＯＯＨである場合、当該Ｚ７としては、１個の水素原子がアミノ基で置換されていてもよい炭素数１〜３のアルキレン基が好ましく、メチレン基、エチレン基、メチルメチレン基、エチルメチレン基、ジメチルメチレン基、トリメチレン基、プロピレン基、アミノメチレン基、１−アミノエチレン基、２−アミノエチレン基、１−アミノトリメチレン基、２−アミノトリメチレン基、又は３−アミノトリメチレン基がより好ましく、１−アミノエチレン基又は２−アミノエチレン基がさらに好ましい。
【００６２】
Ｒ１０は、水素原子又は炭素数１〜６のアルキル基を表す。当該アルキル基としては、Ｒ１で挙げられたアルキル基と同様のものが挙げられる。Ｃ１が−ＣＯ−ＮＨＲ１０の場合、当該Ｒ１０としては、水素原子又は炭素数１〜３のアルキル基が好ましく、水素原子又はメチル基がより好ましく、水素原子が特に好ましい。
【００６３】
一般式（Ｃ−１）で表される化合物としては、下記一般式（Ｃ−２）又は（Ｃ−３）で表される化合物が好ましい。一般式（Ｃ−２）及び（Ｃ−３）中、Ｚ６１は、単結合又は炭素数１〜３のアルキレン基を表し、単結合、メチレン基、エチレン基、又はトリメチレン基が好ましく、単結合が特に好ましい。
【００６４】
【化１５】
2015049101.tif 000016
【００６５】
一般式（Ｃ−１）で表される化合物としては、中でも、ヒドロキノン（ＣＡＳ登録番号：１２３−３１−９）又はレゾルシノール（ＣＡＳ登録番号：１０８−４６−３）が好ましい。
【００６６】
＜二糖類＞
本発明に係る生体透明化剤の有効成分となる二糖類としては、２分子のグルコース、２分子のフルクトース、１分子のグルコースと１分子のフルクトースからなるものが好ましく、スクロース（ＣＡＳ登録番号：５７−５０−１）、トレハロース（ＣＡＳ登録番号：９９−２０−７）、マルトース（ＣＡＳ登録番号：６９−７９−４）、セロビオース（ＣＡＳ登録番号：５２８−５０−７）、又はこれらの混合物であることが好ましく、スクロース、トレハロース、又はスクロースとトレハロースの混合物がより好ましい。
【００６７】
本発明に係る生体透明化剤としては、生体組織に浸潤させる処置の後１〜３時間という短時間で脂肪組織を透明化できることから、特に、ジアトリゾ酸、メトリゾ酸、フェニルウレア、スクロース、トレハロース、フェニルエタノールアミン、トリプトファン、ヒドロキノン、レゾルシノール、ピリジンエタノール、イオパノ酸、及びヨージパミドからなる群より選択される１種以上の化合物を有効成分とするものが好ましく、ジアトリゾ酸、メトリゾ酸、フェニルウレア、フェニルエタノールアミン、イオパノ酸、及びヨージパミドからなる群より選択される１種以上の化合物を有効成分とするものがより好ましい。
【００６８】
＜その他の成分＞
本発明に係る生体透明化剤は、有効成分のみからなるものであってもよく、有効成分による生体組織の透明化を損なわないかぎり、その他の成分を含有していてもよい。当該他の成分としては、有効成分を溶解させるための溶媒、有効成分の溶媒に対する溶解性を改善するための溶解補助剤、界面活性剤、浸透圧調整剤等が挙げられる。
【００６９】
本発明に係る生体透明化剤が含有する溶媒としては、有効成分を溶解できる溶媒であれば特に限定されるものではない。本発明においては、前記有効成分の溶解性に優れていることから、ジメチルスルホキシド（ＤＭＳＯ）（ＣＡＳ登録番号：６７−６８−５）、スルホラン（ＣＡＳ登録番号：１２６−３３−０）、ジメチルホルムアミド（ＣＡＳ登録番号：６８−１２−２）、１−メチル−２−ピロリドン（ＣＡＳ登録番号：８７２−５０−４）、ヘキサメチレンホスホルアミド（ＣＡＳ登録番号：６８０−３１−９）、これらの溶媒のうちの２種以上の混合溶媒、又はこれらの溶媒若しくはその混合溶媒と水との混合溶媒が好ましい。なお、当該水は、トリスバッファー、リン酸バッファー、ＨＥＰＥＳバッファー等のバッファーであってもよい。
【００７０】
溶解補助剤としては、例えば、Ｎ−メチルグルカミン、トロメタモール（トリス(ヒドロキシメチル)アミノメタン）、ジイソプロパノールアミン、モノエタノールアミン、ジエタノールアミン、又はトリエタノールアミン等の有機アミン、エタノール、メタノール、イソプロパノール等のアルコール等が挙げられる。
【００７１】
界面活性剤としては、非イオン性界面活性剤であってもよく、陰イオン性界面活性剤であってもよく、陽イオン性界面活性剤であってもよく、両性界面活性剤であってもよい。非イオン性界面活性剤として、例えば、サポニン、ジギトニン、Ｔｗｅｅｎ８０（ポリオキシエチレンソルビタンモノオレエート）、Ｔｗｅｅｎ２０（ポリオキシエチレンソルビタンモノラウレート）、Ｔｒｉｔｏｎ  Ｘ−１００（ポリオキシエチレン（１０）オクチルフェニルエーテル）、Ｎｏｎｉｄｅｔ  Ｐ−４０（ポリオキシエチレン（９）オクチフェニルエーテル）等が挙げられる。陰イオン性界面活性剤としては、例えば、ＳＤＳ（ドデシル硫酸ナトリウム）に代表されるアルキル硫酸ナトリウム、コール酸ナトリウム、Ｎ−ラウリルサルコシン等が挙げられる。陽イオン性界面活性剤としては、例えば、ＣＤＡＢに代表されるアルキル４級化アンモニウム等が挙げられる。両性界面活性剤としては、例えば、ＣＨＡＰＳ（３−［３−コラミドプロピルジメチルアンモニオ]−１−プロパンスルホネート）等が挙げられる。
【００７２】
浸透圧調整剤としては、例えば、塩化ナトリウム、クエン酸ナトリウム、塩化カリウム等の塩類、マンニトール、ヒドロキシプロピルセルロース、ヒドロキシ プロピルメチルセルロース、カルボキシメチルセルロース、ポリエチレングリコール、ポリデキストロース、デキストラン、デキストリン、及びアルブミン等の水溶性高分子等が挙げられる。
【００７３】
本発明に係る生体透明化剤は、溶媒に溶解させた状態で生体組織に浸潤させることにより、当該生体組織を透明化できる。本発明に係る生体透明化剤を生体組織に浸潤させる方法としては特に限定されるものではなく、例えば、生体透明化剤溶液を生体組織表面に塗布する方法、生体透明化剤溶液を生体組織内部に注入する方法、生体透明化剤溶液に生体組織を浸漬させる方法等が挙げられる。
【００７４】
生体組織に浸潤させる際の生体透明化剤溶液における前記有効成分の濃度は、当該有効成分による透明化効果が得られる濃度であればよく、用いる有効成分の種類や、溶媒の種類、当該生体透明化剤溶液の浸透圧やｐＨ等を考慮して適宜調整することができる。本発明においては、充分な透明化効果が得られやすいことから、生体透明化剤溶液の中の有効成分の濃度が、１〜７０質量％が好ましく、３〜６０質量％がより好ましい。特に、有効成分が前記一般式（Ａ−１）で表される化合物の場合には、生体透明化剤溶液の中の有効成分の濃度は、３〜５０質量％が好ましく、５〜４０質量％がより好ましい。
【００７５】
外科手術時に、除去対象である脂肪組織を透明化できれば、脂肪組織の奥の血管等を傷つけるリスクを顕著に低減させ得る。しかし、外科手術時に使用するためには、処置後短時間で脂肪組織が透明化される必要がある。本発明に係る生体透明化剤は、特に脂肪組織を従来になく短時間で透明化することができるため、外科手術時にも有用であると期待できる。
【実施例】
【００７６】
次に実施例を示して本発明をさらに詳細に説明するが、本発明は以下の実施例に限定されるものではない。
【００７７】
［実施例１］
皮膚組織を透明化できるとの報告がある４０質量％グリセロール水溶液、７５質量％グリセロール水溶液、４０質量％グルコース水溶液、及び９０質量％ＰＥＧ４００水溶液と共に、ジアトリゾ酸、メトリゾ酸、ヨージパミド、及びイオパノ酸の溶液について、脂肪組織の透明化能を調べた。
【００７８】
具体的には、まず、マウス腸間膜周辺の脂肪組織を切り出し、ＰＢＳ（リン酸生理食塩水）に浸漬して保存した。保存後の脂肪組織を、チューブ（チューブ径（Φ）：１ｍｍ、チューブ高さ：３ｍｍ）に詰めた後、表１に記載の各溶液に浸漬させた。表１中、「％」は、「質量％」を意味する。表１に記載の溶液に代えてＰＢＳに浸漬させたものを、対照とした。
【００７９】
【表１】
2015049101.tif 000017
【００８０】
浸漬してから１時間後及び３日後に、溶液から脂肪組織が充填されたチューブを取り出し、当該チューブを実体顕微鏡に、チューブ高さの方向と実体顕微鏡の光軸方向が一致するように設置し、透過像を観察した。全ての観察において、透過光量及び露光時間は一定に保った。得られた透過像をソフトウェアで解析し、透過光量を算出した。ＰＢＳに浸漬させたチューブ中の脂肪組織（コントロールサンプル）の透過光量を１とし、各溶液に浸漬させたチューブ中の脂肪組織の相対透過光量を算出した。なお、コントロールサンプルでは、浸漬前と浸漬から１時間後、３日後は、いずれも透過光量は同程度であり、特に変化はなかった。
【００８１】
算出結果を図１に示す。相対透過光量が大きいほど、透明化効果が高いことを示す。この結果、皮膚を透明化できる４０％グリセロール溶液、７５％グリセロール溶液、４０％グルコース溶液、及び９０％ＰＥＧ９００溶液では、９０％ＰＥＧ９００溶液の浸漬３日後を除き、ほとんど透過光量は増大せず、透明化効果はほとんど得られなかった。また、９０％ＰＥＧ９００溶液の浸漬３日後では、相対透過光量が１．５倍まで上昇していたが、浸漬１時間後にはほとんど透明化効果が得られず、効果が得られるまで非常に時間がかかっていた。
【００８２】
これに対して、ジアトリゾ酸、ヨージパミド、メトリゾ酸、及びイオパノ酸を有効成分として含む溶液では、いずれも浸漬１時間後には相対透過光量が１．５〜３．０倍であり、透過率が大幅に向上していた。つまり、ジアトリゾ酸、ヨージパミド、メトリゾ酸、及びイオパノ酸は、いずれもグリセロール等に比べて、より短時間で大きな透明化効果が得られることが確認された。
【００８３】
図２に、前記で示した各種溶液等により処理することで透明化を実現した脂肪組織（図中、「透明化処理あり」）と、ＰＢＳで処理した脂肪組織（図中、「コントロール」）を、文字入りスライドガラス上に乗せ、裏側から照明して撮影した写真を示す。前記各溶液で処理した脂肪組織では透明化されており、スライドガラスの文字が脂肪組織越しに透けて視認できた。
【００８４】
［実施例２］
表２の溶液に浸漬させた後の脂肪組織の光散乱計数を測定した。
具体的には、まず、ラット胃大網周辺の脂肪組織を切り出し、ＰＢＳに浸漬して保存した。保存後の脂肪組織を、チューブ（チューブ径（Φ）：３ｍｍ、チューブ高さ：４ｍｍ）に詰めた後、表１に記載の各溶液に浸漬させた。表２中、「％」は、「質量％」を意味する。表２に記載の溶液に代えてＰＢＳに浸漬させたものを、対照とした。
【００８５】
【表２】
2015049101.tif 000018
【００８６】
浸漬してから１時間後に、溶液から脂肪組織が充填されたチューブを取り出し、反射プローブタイプの散乱係数測定器を利用して、Thuelerらの方法（Journal of Biomedical Optics, vol.8(3),p.495-503）に準じて散乱係数を測定した。測定波長は６３５ｎｍとし、全ての計測において照明光量は一定に保った。
【００８７】
使用した散乱係数測定器は、一定の間隔で配列された複数の光ファイバからなるファイバアレイプローブを有しており、複数の光ファイバのうち１本は、サンプルを光照射するための光ファイバであり、その方端にはレーザーなどの光源が接続されているものであり、残りの複数本は、光照射されたサンプルからの戻り光を検出するための光ファイバであり、それらの方端にはフォトダイオードなどの光検出器が接続されているものであった。光源から発せられた光は光照射用の光ファイバを通じてサンプルに照射され、照射された光は多重に散乱されながらサンプル内を伝搬し、その一部が戻り光を検出するための複数の光ファイバに入射する。複数の光ファイバに入射した戻り光は、各光検出器で検出され、光照射用の光ファイバからの距離に応じた戻り光の光量のデータが取得される。一般的には、光照射用の光ファイバからの距離が遠くなるほど、検出される戻り光の光量は小さくなることが知られている。
前記手順により取得された、光照射用の光ファイバからの距離に応じた戻り光の光量のデータを、光散乱モンテカルロシミュレーションによって最適フィッティング処理を行うことにより、サンプルの散乱係数を算出した。なお、モンテカルロシミュレーションで使用する位相関数は、Mie散乱理論、Henyey−Greenstein関数などにより算出された。また、フィッティング処理のパラメータは、サンプルの散乱係数、吸収係数、非等方散乱パラメータの３つであった。
【００８８】
各溶液に浸漬させたチューブ中の脂肪組織の散乱係数について、ＰＢＳに浸漬させたチューブ中の脂肪組織（コントロールサンプル）の散乱係数からの減少率を算出した。算出結果を図３に示す。この減少率が大きいほど、透明化効果が高い。グリセロールやグルコースを有効成分とする溶液に浸漬させたものは、浸漬１時間後の散乱係数の減少率はせいぜい６０％であったのに対して、スクロース、トレハロース、フェニルウレア及びフェニルエタノールアミンを有効成分とした溶液では、散乱係数は７０％以上も減少していた。
【００８９】
［実施例３］
表１に記載の溶液に代えて、表２に記載の溶液のうち、５４％スクロース溶液、４８％スクロース溶液、５９％トレハロース溶液、２４％フェニルウレア溶液、１２％フェニルウレア溶液、及び５１％フェニルエタノールアミン溶液を用いた以外は実施例１と同様にして、各溶液にマウスの脂肪組織を充填したチューブ（チューブ径（Φ）：１ｍｍ、チューブ高さ：３ｍｍ）を浸漬させ、浸漬から１時間経過後の相対透過光量を測定した。
【００９０】
測定結果を図４に示す。この結果、いずれの溶液でも、可視光に対する透過光量は概ね高まっていた。特に、フェニルウレア及びフェニルエタノールアミンを有効成分とした溶液では、浸漬１時間で７．０〜８．５倍の透過光量が得られた。
【産業上の利用可能性】
【００９１】
本発明に係る生体透明化剤により、生体組織、特に脂肪組織を短時間で透明化することができるため、当該生体透明化剤は、生体組織標本等の深部を観察する等の学術分野においてのみならず、外科手術等の医療分野においても有用である。
【図１】
2015049101.tif 000025
【図２】
2015049101.tif 000026
【図３】
2015049101.tif 000027
【図４】
2015049101.tif 000028